(57)【特許請求の範囲】
【請求項１】
複数の表示用ＬＥＤが配置されてなり、文字・絵・記号等によるメッセージを表示する表示画面を備えたＬＥＤ表示装置において、表示パネル全面に、縦横に規則的且つマトリクス状に低輝度のＬＥＤ多色発光球又はＬＥＤ単色発光球を配置し、低輝度ＬＥＤの配列の隙間に規則的且つマトリクス状に表示パネル全面にわたって高輝度の赤色、青色、緑色、白色、黄色、水色等のＬＥＤ多色発光球又はＬＥＤ単色発光球を配置し、先ず、高輝度の赤色、青色、緑色、白色、黄色、水色等のＬＥＤ発光球を点灯又は点滅して視線捕捉のための文字・図形・記号・動画を表示した後、低輝度のＬＥＤ発光球を点灯又は点滅して伝達すべき文字情報を表示するようにしたことを特徴とするＬＥＤ表示装置。
【発明の詳細な説明】
【０００１】
【発明の属する技術分野】
本発明は、複数のＬＥＤを配列して構成され、文字・絵・記号等によるメッセージ画像を表示するＬＥＤ表示装置に関し、とくに、商店や事業所等の電光掲示看板として使用して好適なＬＥＤ表示装置に関するものである。
【０００２】
【従来の技術】
従来、商店、事業所等の看板においては、平板に描かれた商店名等の文字表示が中心であったが、より視認性を高めるために、ネオンサイン、電球を配置したもの等が提案されている。しかしながら、これらの看板の表示内容を変更するためには、看板自体を交換する必要があった。そこで、近年、表示内容を簡単に変えることを可能にした看板、すなわち、広告宣伝の媒体として、複数のＬＥＤ球をパネル全面に配置して画像の表示を行なう表示部を備えたＬＥＤ表示装置が広く使用されている。
【０００３】
【発明が解決しようとする課題】
しかしながら、従来のＬＥＤ表示装置は、多くの場合、表示部に使用しているＬＥＤが、同一輝度のＬＥＤ多色発光球又はＬＥＤ単色発光球であり、これらを単に点灯、点滅させるだけのものに過ぎず、光の変化に乏しく表示画面全体が単調となり易く、広告宣伝におけるアイキャッチ効果に欠けるという問題があった。このため、ＬＥＤ表示装置の表示パネル周辺に、表示部に使用するＬＥＤよりも高輝度なＬＥＤを配置して、アイキャッチ効果を高めるようにしたもの等が提案されているが、この装置では周囲の高輝度部分のみが目立ち、視線がそこに集中し、輝度の低いＬＥＤで表示された表示部上の伝達情報が見落とされるおそれがあった。
【０００４】
そこで、本出願人は、特願平２００１−１０７７５３号をもって、アイキャッチ効果の向上を図ることができるＬＥＤ表示装置を提案している。この装置は、複数の表示用ＬＥＤが配置されてなり、文字・絵・記号等によるメッセージを表示する表示画面を備えたＬＥＤ表示装置において、前記表示画面の周囲及び前記文字・絵・記号間及び／又は文字・絵・記号内に位置するように、前記表示画面を構成する表示用ＬＥＤよりも輝度の高い視線捕捉用ＬＥＤを配置したことを特徴とし、ＬＥＤ表示装置のアイキャッチ効果を高めることができるという効果を有するものである。
【０００５】
本発明もまた、前記のような従来技術の問題点に鑑みなされたものであり、ＬＥＤ表示装置のアイキャッチ効果を高めることができると共に、高い情報伝達効果を得ることができるＬＥＤ表示装置を提供することを目的とするものである。
【０００６】
【課題を解決するための手段】
このため本発明では、複数の表示用ＬＥＤが配置されてなり、文字・絵・記号等によるメッセージを表示する表示画面を備えたＬＥＤ表示装置において、表示パネル全面に、縦横に規則的且つマトリクス状に低輝度のＬＥＤ多色発光球又はＬＥＤ単色発光球を配置し、低輝度ＬＥＤの配列の隙間に規則的且つマトリクス状に表示パネル全面にわたって高輝度の赤色、青色、緑色、白色、黄色、水色等のＬＥＤ多色発光球又はＬＥＤ単色発光球を配置し、先ず、高輝度の赤色、青色、緑色、白色、黄色、水色等のＬＥＤ発光球を点灯又は点滅して視線捕捉のための文字・図形・記号・動画を表示した後、低輝度のＬＥＤ発光球を点灯又は点滅して伝達すべき文字情報を表示するようにしたことを特徴とする。
【０００７】
【発明の実施の形態】
以下に、本発明の実施の形態を図面に示す実施例に基づいて説明する。
図１は本発明に係るＬＥＤ表示装置の概略構造を示す正面図、図２乃至図４は本発明に係るＬＥＤ表示装置の表示例を示す正面図である。
【０００８】
【実施例】
図１に示すように、本発明に係るＬＥＤ表示装置は、１枚又は分割された基板からなり、複数の表示用ＬＥＤであるＬＥＤ単色発光球１（図中、○で表す）が配設されたＬＥＤマトリックスユニット２（１６×１６ドット構成）を文字単位として、縦２×横３の６文字を表示する表示画面３を構成したものである。そして、それぞれのＬＥＤマトリックスユニット２は、ＬＥＤ単色発光球１でもって伝達すべき情報としての文字・絵・記号等による画像のそれぞれ一部又は全部を表示できるようになっている。
【０００９】
すなわち、表示画面３は低輝度のＬＥＤ単色発光球１を縦横に規則的且つマトリクス状に配置して構成されている。ここで、本実施例では、さらに、低輝度ＬＥＤの配列の隙間に規則的且つ表示画面３の全面にわたってマトリクス状に高輝度のＬＥＤ多色発光球又はＬＥＤ単色発光球（図中、●で表す）を配置し、視線捕捉用ＬＥＤとしている。すなわち、図１に示すように、低輝度ＬＥＤマトリックスユニット２内に高輝度ＬＥＤ４が格子状に重ねて配置される。尚、低輝度ＬＥＤの照度は、１０ｃｍの距離で２３００（ｍｃｄ）、高輝度ＬＥＤの照度はこれの約２倍とされている。
【００１０】
次に、本実施例装置の画面表示方法について説明する。
例えば、図２及び図３に示すように、低輝度ＬＥＤ１にてクリスマスツリーの絵を表示し、ツリーの輪郭部分や内部に位置する高輝度ＬＥＤ４を絵の中でイルミネーションのごとく点滅させてアイキャッチする。この場合、高輝度ＬＥＤ４として、赤色、青色、緑色、白色、黄色、水色等の単色発光球を使用すると極めて高いアイキャッチ効果を得ることができる。次いで、低輝度ＬＥＤ１のみを点灯して伝言すべき情報（ここでは、「クリスマスセール」という文字情報）を表示する。
【００１１】
また、図４に示すように、高輝度ＬＥＤ４のみを使用して、点灯・点滅させるＬＥＤの数を漸次増やしてゆき、あたかも花火が開いて行くような模様を動画のように表現することもでき、これもまた高いアイキャッチ効果が得られる。すなわち、本実施例装置では、先ず、パネル全面に図形や動画等を高輝度ＬＥＤ４にて表示することにより、需要者の注意を引き付けておき、次いで低輝度ＬＥＤ１にて伝達すべき文字情報等を表示することにより、確実な情報伝達を行うことができる。
【００１２】
尚、本発明の要旨は、低輝度ＬＥＤで構成された表示パネルの全面にわたって高輝度ＬＥＤを規則的に配置する点にあり、その配置の仕方は上記実施例のような均一な格子状のみに限定されるものではなく、配置密度に変化をもたせるようにしても良い。また、上記実施例では縦２、横３の６文字構成のＬＥＤ表示装置について説明したが、本発明はこれに限定されるものではなく、２段以上の複数段及び複数列構成のＬＥＤ表示装置にも適用できることは言うまでもない。また、ＬＥＤマトリックスユニットについても、上記実施例の１６ドット×１６ドット構成に限定されるものでは無く、勿論、他のドット構成のものにも適用できる。
【００１３】
【発明の効果】
本発明は以上のように構成したので、ＬＥＤ表示装置のアイキャッチ効果を高めることができると共に、高い情報伝達効果を得ることができるという優れた効果がある。
【図面の簡単な説明】
【図１】図１は本発明に係るＬＥＤ表示装置の概略構造を示す正面図である。
【図２】本発明に係るＬＥＤ表示装置の表示例を示す正面図である。
【図３】本発明に係るＬＥＤ表示装置の表示例を示す正面図である。
【図４】本発明に係るＬＥＤ表示装置の表示例を示す正面図である。
【符号の説明】
１    低輝度ＬＥＤ（表示用ＬＥＤ）
２    ＬＥＤマトリックスユニット
３    表示画面
４    高輝度ＬＥＤ（視線捕捉用ＬＥＤ）
【図１】
0003641745.tif 000002
【図２】
0003641745.tif 000003
【図３】
0003641745.tif 000004
【図４】
0003641745.tif 000005